(57)【特許請求の範囲】
【請求項１】
鍵盤シャーシと、この鍵盤シャーシ上に上下方向に回動可能に配置された複数の鍵と、この複数の鍵それぞれに対応して配置され、前記鍵の押鍵操作に伴って上下方向に回動変位して前記鍵にアクション荷重を付与するハンマーとを備えた鍵盤装置において、
前記鍵盤シャーシには、支持軸を有するハンマー支持部が設けられ、前記ハンマーには、前記ハンマー支持部の前記支持軸に回動自在に軸支されるハンマーホルダが設けられ、このハンマーホルダと前記鍵盤シャーシとの一方には、前記ハンマーホルダを前記ハンマー支持部の前記支持軸に弾性力によって押し付ける弾性押圧部が設けられおり、
前記弾性押圧部は、前記ハンマー支持部の前記支持軸を中心とする円弧形状をなして前記ハンマーホルダに形成され、その円弧形状の一部が前記鍵盤シャーシの所定個所に常に弾接して摺動するとともに、前記弾性押圧部には、前記鍵の押鍵操作時に前記鍵盤シャーシの前記所定個所が弾力的に乗り越えることにより前記鍵にクリック感を付与する突起部が設けられていることを特徴とする鍵盤装置。
【請求項２】
鍵盤シャーシと、この鍵盤シャーシ上に上下方向に回動可能に配置された複数の鍵と、この複数の鍵それぞれに対応して配置され、前記鍵の押鍵操作に伴って上下方向に回動変位して前記鍵にアクション荷重を付与するハンマーとを備えた鍵盤装置において、
前記鍵盤シャーシには、支持軸を有するハンマー支持部が設けられ、前記ハンマーには、前記ハンマー支持部の前記支持軸に回動自在に軸支されるハンマーホルダが設けられ、このハンマーホルダと前記鍵盤シャーシとの一方には、前記ハンマーホルダを前記ハンマー支持部の前記支持軸に弾性力によって押し付ける弾性押圧部が設けられおり、
前記ハンマーホルダには、前記ハンマー支持部の前記支持軸を中心とする円弧形状の接触面が設けられ、前記弾性押圧部は、前記鍵盤シャーシに設けられて前記ハンマーホルダの前記接触面に常に弾接して摺動するとともに、
前記ハンマーホルダの前記接触面には、前記鍵の押鍵操作時に前記弾性押圧部が弾力的に乗り越えることにより前記鍵にクリック感を付与する突起部が設けられていることを特徴とする鍵盤装置。
【発明の詳細な説明】
【技術分野】
【０００１】
この発明は、電子ピアノなどの電子鍵盤楽器に用いられる鍵盤装置に関する。
【背景技術】
【０００２】
従来，電子ピアノなどの鍵盤楽器においては、アコースティックピアノの鍵タッチ感に近似した鍵タッチ感を得るために、鍵の下側にハンマーを上下方向に回動可能に設け、鍵の押鍵操作に伴ってハンマーがその重量に抗して回動することにより、鍵に所定のアクション荷重を付与するように構成したものがある。
【特許文献１】特開２００６−３４９５号
【０００３】
この種の鍵盤楽器は、ハンマーが金属製のハンマー本体と合成樹脂製のハンマーホルダとで構成され、このハンマーホルダがハンマー本体に取り付けられ、この状態でハンマーホルダが鍵盤シャーシに設けられたハンマー支持部の支持軸に嵌合することにより、ハンマーがハンマー支持部の支持軸を中心に上下方向に回動可能に取り付けられた構成になっている。この場合、ハンマーは、鍵盤シャーシに設けられた上限ストッパと下限ストッパとの間で上下方向に回動するように構成されている。
【発明の開示】
【発明が解決しようとする課題】
【０００４】
しかしながら、このような従来の鍵盤楽器では、ハンマーホルダを鍵盤シャーシに設けられたハンマー支持部の支持軸に嵌合させることにより、ハンマーがハンマー支持部の支持軸を中心に上下方向に回動可能に取り付けられているので、鍵盤シャーシに設けられたハンマー支持部の支持軸とハンマーホルダとに寸法のバラつきや、その両者の嵌合に緩みなどがあると、支持軸とハンマーホルダとにガタつきが生じ、押鍵操作に伴ってハンマーが支持軸を中心に回動するときに、異音を発生するほか、鍵タッチ感にバラつきが生じるなどの問題がある。
【０００５】
この発明が解決しようとする課題は、支持軸およびハンマーホルダに寸法のバラつきなどがあっても、異音の発生を防ぎ、鍵タッチ感のバラつきを軽減することができる鍵盤装置を提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、鍵盤シャーシと、この鍵盤シャーシ上に上下方向に回動可能に配置された複数の鍵と、この複数の鍵それぞれに対応して配置され、前記鍵の押鍵操作に伴って上下方向に回動変位して前記鍵にアクション荷重を付与するハンマーとを備えた鍵盤装置において、
前記鍵盤シャーシには、支持軸を有するハンマー支持部が設けられ、前記ハンマーには、前記ハンマー支持部の前記支持軸に回動自在に軸支されるハンマーホルダが設けられ、このハンマーホルダと前記鍵盤シャーシとの一方には、前記ハンマーホルダを前記ハンマー支持部の前記支持軸に弾性力によって押し付ける弾性押圧部が設けられおり、
前記弾性押圧部は、前記ハンマー支持部の前記支持軸を中心とする円弧形状をなして前記ハンマーホルダに形成され、その円弧形状の一部が前記鍵盤シャーシの所定個所に常に弾接して摺動するとともに、前記弾性押圧部には、前記鍵の押鍵操作時に前記鍵盤シャーシの前記所定個所が弾力的に乗り越えることにより前記鍵にクリック感を付与する突起部が設けられていることを特徴とする。
【０００８】
請求項２に記載の発明は、鍵盤シャーシと、この鍵盤シャーシ上に上下方向に回動可能に配置された複数の鍵と、この複数の鍵それぞれに対応して配置され、前記鍵の押鍵操作に伴って上下方向に回動変位して前記鍵にアクション荷重を付与するハンマーとを備えた鍵盤装置において、
前記鍵盤シャーシには、支持軸を有するハンマー支持部が設けられ、前記ハンマーには、前記ハンマー支持部の前記支持軸に回動自在に軸支されるハンマーホルダが設けられ、このハンマーホルダと前記鍵盤シャーシとの一方には、前記ハンマーホルダを前記ハンマー支持部の前記支持軸に弾性力によって押し付ける弾性押圧部が設けられおり、
前記ハンマーホルダには、前記ハンマー支持部の前記支持軸を中心とする円弧形状の接触面が設けられ、前記弾性押圧部は、前記鍵盤シャーシに設けられて前記ハンマーホルダの前記接触面に常に弾接して摺動するとともに、前記ハンマーホルダの前記接触面には、前記鍵の押鍵操作時に前記弾性押圧部が弾力的に乗り越えることにより前記鍵にクリック感を付与する突起部が設けられていることを特徴とする。
【発明の効果】
【００１５】
請求項１に記載の発明によれば、弾性押圧部には鍵の押鍵操作時に鍵盤シャーシの所定個所が弾力的に乗り越えることにより鍵にクリック感を付与する突起部が設けられていることにより、押鍵操作に伴ってハンマーが支持軸を中心に回動し、弾性押圧部に設けられた突起部が鍵盤シャーシの所定個所に当接すると、鍵荷重が急激に重くなり、弾性押圧部の突起部が鍵盤シャーシの所定個所を弾力的に乗り越えると、鍵荷重が急激に軽くなり、これにより押鍵操作時に鍵に鍵荷重が急激に抜けるようなクリック感を付与することができるので、より一層、アコースティックピアノの鍵タッチ感に近似した鍵タッチ感を得る。
【００１７】
請求項２に記載の発明によれば、ハンマーホルダの接触面には鍵の押鍵操作時に弾性押圧部が弾力的に乗り越えることにより鍵にクリック感を付与する突起部が設けられていることにより、押鍵操作に伴ってハンマーが支持軸を中心に回動し、鍵盤シャーシの弾性押圧部がハンマーホルダの接触面に設けられた突起部に当接すると、鍵荷重が急激に重くなり、弾性押圧部の突起部が鍵盤シャーシの所定個所を弾力的に乗り越えると、鍵荷重が急激に軽くなり、これにより請求項１に記載の発明と同様、鍵の押鍵操作時に鍵荷重が急激に抜けるようなクリック感を付与することができるので、これによっても、より一層、アコースティックピアノの鍵タッチ感に近似した鍵タッチ感を得る。
【発明を実施するための最良の形態】
【００１９】
（実施形態１）
以下、図１〜図７を参照して、この発明の鍵盤装置の実施形態１について説明する。
この鍵盤装置は、図１および図２に示すように、合成樹脂製の鍵盤シャーシ１と、この鍵盤シャーシ１上に上下方向に回動可能に設けられた合成樹脂製の複数の鍵２（白鍵と黒鍵、ただしこの実施形態１では白鍵について説明する。）と、この複数の鍵２にそれぞれアクション荷重を付与する複数のハンマー３と、各鍵２の押鍵操作に応じてそれぞれオン信号を出力するスイッチ部４とを備えている。
【００２０】
鍵盤シャーシ１は、楽器本体（図示せず）の内部に配置されるものであり、この鍵盤シャーシ１の前端部（図１では右端部）には、図１および図２に示すように、鍵２の前端部に対応する前側搭載部５が底部から上方に突出して設けられている。この前側搭載部５上には、鍵２の前端部内に挿入して鍵２の横振れを防ぐための鍵ガイド６が上方に突出して設けられている。また、この鍵盤シャーシ１の中間部における前部側には、立上り部７が底部から前側搭載部５とほぼ同じ高さで設けられており、この鍵盤シャーシ１の後端部には、立上り部８が底部から前側搭載部５よりも少し高く設けられている。
【００２１】
この鍵盤シャーシ１の中間部における前側の立上り部７と後端部の立上り部８との間には、図１および図２に示すように、後側搭載部１０が設けられている。この後側搭載部１０の中間部上には、スイッチ基板１１が取り付けられており、このスイッチ基板１１上には後述するスイッチ部４が設けられている。また、この後側搭載部１０の後端部（図１では左端部）上には、鍵支持部１２が上方に突出して設けられており、この鍵支持部１２には、鍵２の後端部を回動可能に支持するための鍵支持軸１３が設けられている。また、この後側搭載部１０の前部側下面には、ハンマー支持部１４が設けられており、このハンマー支持部１４には、ハンマー３を上下方向に回動可能に支持するための支持軸１６が設けられている。
【００２２】
鍵２は、図１および図２に示すように、その後端部（図１では左端部）の両側面に鍵取付孔部１８が設けられ、この鍵取付孔部１８が鍵盤シャーシ１の鍵支持軸１３に回動可能に取り付けられ、これにより鍵支持軸１３を中心に上下方向に回動するように構成されている。この鍵２の中間部における後部側には、スイッチ押圧部１９が鍵盤シャーシ１上に設けられたスイッチ基板１１のスイッチ部４に対応して設けられている。このスイッチ押圧部１９の前部側には、ハンマー３の先端部（図１では右端部）に設けられた後述するハンマー当接部２７を保持するハンマー連結部２０が鍵盤シャーシ１の立上り部７に沿って下方に延出されて設けられている。
【００２３】
この場合、スイッチ部４は、図１および図２に示すように、スイッチ基板１１の上面に配置されたゴムシートを備えている。このゴムシートには、ドーム状の膨出部が各鍵２のスイッチ押圧部１９にそれぞれ対応して形成されている。この膨出部内には、高さの異なる一対の可動接点が設けられており、これに対応するスイッチ基板１１上には、一対の固定接点が一対の可動接点にそれぞれ接離可能に離間対向して設けられている。これにより、スイッチ部４は、図２に示すように、押鍵操作時に鍵２のスイッチ押圧部１９によって膨出部が押圧されたときに、膨出部が弾性変形して一対の可動接点が一対の固定接点に時間差をもって順に接触することにより、鍵タッチの強さに応じたオン信号を出力するように構成されている。
【００２４】
一方、ハンマー３は、図１〜図３に示すように、金属製のハンマー本体２１と合成樹脂製のハンマーホルダ２２とを有し、このハンマーホルダ２２がハンマー本体２１のほぼ前側部（図１では右側部）のホルダ取付部２３に取り付けられ、この状態でハンマーホルダ２２が鍵盤シャーシ１の後側搭載部１０における前側下面（図１では右側下面）に設けられたハンマー支持部１４の支持軸１６に回動自在に保持されるように構成されている。この場合、ホルダ取付部２３は、図３に示すように、後部側（同図では左側）に開放されたほぼコ字形状に形成されており、ハンマー本体２１の後端部（図１では左端部）には、錘部２４が設けられている。
【００２５】
このハンマー本体２１は、錘部２４の重量によって図１において反時計回りに付勢されて、錘部２４の後端部が鍵盤シャーシ１の後端底部に設けられたフェルトなどの下限ストッパ２５に当接することにより、ハンマー本体２１が下限位置に規制されるように構成されている。また、このハンマー本体２１は、錘部２４の重量に抗して時計回りに回動したときに、図２に示すように、鍵盤シャーシ１の後側搭載部１０における後端下面に配置されたフェルトなどの上限ストッパ２６に当接することにより、ハンマー本体２１が上限位置に規制されるように構成されている。
【００２６】
また、このハンマー本体２１は、図１および図２に示すように、その前端部（図１では右端部）が鍵盤シャーシ１の立上り部７に設けられた開口部７ａを通して立上り部７の前方に突出し、この突出した先端部にハンマー当接部２７が設けられ、このハンマー当接部２７が鍵２のハンマー連結部２０内に摺動可能に挿入されて保持され、これによりハンマー本体２１が鍵２の押鍵動作に連動してハンマー支持部１４の支持軸１６を中心に上下方向に回動するように構成されている。この場合、ハンマー当接部２７は、その上面が円弧状に形成され、筒状に形成されたハンマー連結部２０内に挿入することにより、ハンマー当接部２７の円弧状の上面が筒状のハンマー連結部２０の上部内面に線接触状態で摺動するように構成されている。
【００２７】
ハンマーホルダ２２は、図１〜図４に示すように、鍵盤シャーシ１の後側搭載部１０の下面に設けられたハンマー支持部１４に回動可能に保持される軸受部２８と、この軸受部２８をハンマー本体２１のホルダ取付部２３に装着する装着部２９とを備えている。軸受部２８は、図３および図４に示すように、全体がほぼ逆Ｃ字形状に形成され、その中心部にハンマー支持部１４の支持軸１６が回動可能に挿入するように構成されている。装着部２９は、図４に示すように、全体がほぼコ字形状に形成され、その内部に軸受部２８が一体に設けられた構成になっている。
【００２８】
この場合、装着部２９は、図３および図４に示すように、ハンマー本体２１のホルダ取付部２３に対応するほぼコ字形状の平板部３０からなり、この平板部３０の各辺部にハンマー本体２１のホルダ取付部２３をその厚み方向に挟み込む複数の挟み片３０ａが一体に形成され、各挟み片３０ａを押し広げながら平板部３０をホルダ取付部２３の側面に押し付けて密着させることにより、各挟み片３０ａがホルダ取付部２３の縁部を挟み付け、これによりハンマー本体２１のホルダ取付部２３に装着されるように構成されている。
【００２９】
また、このハンマーホルダ２２には、図４に示すように、位置規制部３１が設けられている。この位置規制部３１は、装着部２９の平板部３０に切り起しによって一体に形成された舌状の係合部３２を有し、この舌状の係合部３２がハンマー本体２１のホルダ取付部２３に設けられた係止凹部（図示せず）に弾力的に挿入して係止されることにより、ハンマーホルダ２２をハンマー本体２１のハンマー取付部２３に対して位置規制するように構成されている。
【００３０】
さらに、このハンマーホルダ２２には、その軸受部２８をハンマー支持部１４の支持軸１６に弾性力によって押し付ける弾性押圧部３４が設けられている。この弾性押圧部３４は、図１〜図４に示すように、ハンマーホルダ２２の装着部２９の上辺における前端部（図４では右端部）から後方（同図では左側）に向けてほぼ円弧状に形成されている。すなわち、この弾性押圧部３４は、ハンマーホルダ２２の軸受部２８の中心、つまり軸受部２８を支持するハンマー支持部１４の支持軸１６を中心とする半径Ｒの円弧に沿って形成され、この状態で装着部２９に対する基端部を中心に全体が軸受部２８の中心側に向けて弾性変形するように構成されている。
【００３１】
この場合、弾性押圧部３４は、図１および図２に示すように、その外周部の一部が鍵盤シャーシ１の後側搭載部１０に設けられた開口部１０ａの縁部１０ｂに弾力的に当接し、その反力でハンマーホルダ２２の軸受部２７をハンマー支持部１４の支持軸１６に弾力的に押し付けるように構成されている。また、この弾性押圧部３４は、押鍵操作に伴ってハンマー３がハンマー支持部１４の支持軸１６を中心に上下方向に回動するときに、そのハンマーホルダ２２の回動に伴って弾性押圧部３４の外周部が鍵盤シャーシ１の縁部１０ｂに常に弾接しながら摺動するように構成されている。
【００３２】
ところで、ハンマー支持部１４は、図５および図６に示すように、鍵盤シャーシ１における後側搭載部１０の前部側下面（図１では右側下面）に設けられた一対の支持片１５からなり、この一対の支持片１５には支持軸１６が設けられている。この支持軸１６は、一対の支持片１５に互いに対向して設けられた一対の軸部１７からなっている。この場合、一対の支持片１５は、その間にハンマー３のハンマーホルダ２２が下方から挿入することにより、ハンマーホルダ２２を挟み込むように構成されている。一対の軸部１７は、先端を切り落としたほぼ円錐形状に形成され、ハンマーホルダ２２の軸受部２８の中心部に挿入してハンマーホルダ２２を上下方向に回動可能に支持するように構成されている。
【００３３】
このような鍵盤装置では、図１に示すように、通常はハンマー３がハンマー本体２１の錘部２４の重量によってハンマー支持部１４の支持軸１６を中心に図１において反時計回りに付勢され、これによりハンマー本体２１の錘部２４の後端部が下限ストッパ２５に当接してハンマー３が下限位置に規制されている。このときには、ハンマー本体２１のハンマー当接部２７が鍵盤２のハンマー連結部２０内に移動可能に挿入されて保持された状態で、ハンマー当接部２７が上限に位置することにより、このハンマー当接部２７によって鍵２が押し上げられて上限位置に規制されている。
【００３４】
この状態で、ハンマー本体２１の錘部２４の重量に抗して鍵２を押鍵すると、その鍵２が鍵盤シャーシ１の後端部の鍵支持軸１３を中心に図１において時計回りに回動する。このときには、鍵２が鍵ガイド６によってガイドされるので、鍵２が横振れすることなく、円滑に回動して鍵２のハンマー連結部２０が下方に移動する。これにより、ハンマー連結部２０内に挿入されたハンマー本体２１のハンマー当接部２７が押し下げられる。
【００３５】
これに伴って、ハンマー当接部２７がハンマー連結部２０内を摺動しながら、ハンマー本体２１がハンマーホルダ２２の軸受部２８に挿入されたハンマー支持部１４の支持軸１６を中心に図１において時計回りに回動する。このときには、図７にＡ線で示すように、鍵２が押されてハンマー３が回動し始めると、鍵荷重が急激に重くなり、鍵２がある程度押し下げられると、鍵荷重がほぼ一定になり、鍵２が最も押し下げられると、ハンマー３が上限ストッパ２６に当接するので、鍵荷重が再び重くなる。
【００３６】
これにより、鍵２にハンマー本体２１の錘部２４の重量に応じたアクション荷重が付与されるので、アコースティックピアノの鍵タッチ感に近似した鍵タッチ感を得ることができる。なお、離鍵時には、ハンマー本体２１の錘部２４の重量によってハンマー３が図２において反時計回りに回動して図１に示す初期位置に戻り、これに伴って鍵２が図７にＢ線で示す鍵荷重特性を描いて図１に示す初期位置に戻る。
【００３７】
このように、この鍵盤装置によれば、鍵盤シャーシ１に設けられたハンマー支持部１４の支持軸１６に、ハンマー３のハンマーホルダ２２を上下方向に回動可能に軸支し、このハンマーホルダ２２に弾性押圧部３４を設け、この弾性押圧部３４の弾性力によってハンマーホルダ２２をハンマー支持部１４の支持軸１６に押し付けているので、支持軸１６とハンマーホルダ２２の軸受部２８とに寸法のバラつきや、その両者の嵌合に緩みなどがあっても、弾性押圧部３４の弾性力によってハンマーホルダ２２を支持軸１６に対しガタつかないように圧接させることができる。このため、押鍵操作に伴ってハンマー３が支持軸１６を中心に回動するときに、ハンマーホルダ２２と支持軸１６とのガタつきによる異音の発生を防ぐことができると共に、鍵タッチ感のバラつきをも軽減することができる。
【００３８】
この場合、特に弾性押圧部３４は、ハンマー支持部１４の支持軸１６を中心とする円弧形状をなしてハンマーホルダ２２に形成され、その円弧形状の一部が鍵盤シャーシ１の後側搭載部１０に設けられた開口部１０ａの縁部１０ｂに常に弾接して摺動するので、押鍵操作に伴ってハンマー３が支持軸１６を中心に回動するときに、円弧形状に形成されたハンマーホルダ２２の弾性押圧部３４を常に鍵盤シャーシ１の後側搭載部１０における開口部１０ａの縁部１０ｂにほぼ一定の接触力で弾接させながら摺動させることができる。このため、ハンマーホルダ２２が支持軸１６に対しガタつくことがなく、ハンマーホルダ２２を支持軸１６に対しほぼ一定の摩擦力で滑らかに回動させることができるので、ハンマーホルダ２２と支持軸１６とのガタつきによる異音の発生を確実に防ぐことができると共に、鍵タッチ感のバラつきを更に軽減することができる。
【００３９】
また、ハンマー支持部１４は鍵盤シャーシ１に設けられてハンマーホルダ２２を挟み込む一対の支持片１５からなり、支持軸１６は一対の支持片１５に互いに対向して設けられたほぼ円錐形状の一対の軸部１７からなることにより、ほぼ円錐形状の一対の軸部１７がハンマーホルダ２２の軸受部２８を回動自在に軸支した際、支持軸１６である一対の軸部１７とハンマーホルダ２２の軸受部２８との接触部分にほとんど隙間が生じないように軸支することができる。このため、ハンマーホルダ２２の支持軸１６に対するガタつきを軽減することができると共に、ハンマーホルダ２２を支持軸１６に対し滑らかに回動させることができるので、これによってもハンマー３と支持軸１６とのガタつきによる異音の発生を防ぐことができると共に、鍵タッチ感のバラつきをも軽減することができる。
【００４０】
（実施形態２）
次に、図８〜図１０を参照して、この発明を適用した鍵盤装置の実施形態２について説明する。なお、図１〜図７に示された実施形態１と同一部分には同一符号を付して説明する。
この鍵盤装置は、ハンマーホルダ２２に設けられた弾性押圧部３４に突起部３５を設け、この突起部３５によって押鍵操作時に鍵２にクリック感を付与する構成で、これ以外は実施形態１と同じ構成になっている。
【００４１】
すなわち、この突起部３５は、図８および図９に示すように、ハンマーホルダ２２に設けられた円弧形状の弾性押圧部３４の先端側（図８では左端側）における外表面に設けられ、ハンマーホルダ２２が図８において時計回りに回動したときに、図９に示すように、鍵盤シャーシ１の後側搭載部１０に設けられた開口部１０ａの縁部１０ｂに当接して弾力的に乗り越えることにより、鍵２にクリック感を付与するように構成されている。
【００４２】
このような鍵盤装置によれば、実施形態１と同様の作用効果があるほか、特に鍵２が押鍵操作されてハンマーホルダ２２が支持軸１６を中心に図８において時計回りに回動し、これに伴ってハンマーホルダ２２の弾性押圧部３４が鍵盤シャーシ１の後側搭載部１０における開口部１０ａの縁部１０ｂに当接しながら移動するときに、後側搭載部１０の縁部１０ｂが弾性押圧部３４に設けられた突起部３５に当接して弾力的に乗り越えることにより、鍵２に鍵荷重が急激に抜けるクリック感を付与することができる。
【００４３】
すなわち、鍵盤シャーシ１の後側搭載部１０における開口部１０ａの縁部１０ｂが弾性押圧部３４の突起部３５に当接すると、図１０にＡ線で示すＣ部のように、鍵荷重が急激に重くなり、後側搭載部１０の縁部１０ｂが弾性押圧部３４の突起部３５を乗り越えると、同図にＡ線で示すＤ部のように、鍵荷重が急激に軽くなる。これにより、押鍵操作時に鍵２に鍵荷重が急激に抜けるクリック感を付与することができるので、より一層、アコースティックピアノの鍵タッチ感に近似した鍵タッチ感を得る。
【００４４】
（実施形態３）
次に、図１１〜図１５を参照して、この発明を適用した鍵盤装置の実施形態３について説明する。この場合にも、図１〜図７に示された実施形態１と同一部分に同一符号を付して説明する。
この鍵盤装置は、ハンマーホルダ２２に円弧形状の接触面４０を設け、鍵盤シャーシ１に弾性押圧部４１をハンマーホルダ２２の接触面４０に弾接させて設けた構成で、これ以外は実施形態１とほぼ同じ構成になっている。
【００４５】
すなわち、ハンマーホルダ２２の接触面４０は、図１３に示すように、ハンマーホルダ２２の上部後側面（図１３では上部左側面）に、そのハンマーホルダ２２を軸支するハンマー支持部１４の支持軸１６を中心とする半径Ｒの円弧形状に形成されている。また、弾性押圧部４１は、図１４および図１５に示すように、鍵盤シャーシ１の後側搭載部１０におけるハンマーホルダ２２の接触面４０に対向する傾斜部４３に設けられている。この場合、弾性押圧部４１は、後側搭載部１０の傾斜部４３に切り起しによって舌状に形成され、これにより板ばねの機能を有し、その先端部に当接部４２がハンマーホルダ２２に向けて突出して設けられ、この突出した当接部４２がハンマーホルダ２２の接触面４０に弾接して摺動するように構成されている。
【００４６】
このような鍵盤装置によれば、鍵盤シャーシ１に弾性押圧部４１を設け、この弾性押圧部４１の弾性力によってハンマーホルダ２２をハンマー支持部１４の支持軸１６に押し付けているので、実施形態１と同様、ハンマー支持部１４の支持軸１６とハンマーホルダ２２の軸受部２８とに寸法のバラつきや、その両者の嵌合に緩みなどがあっても、ハンマーホルダ２２を支持軸１６に対しガタつかないように圧接させることができる。このため、押鍵操作に伴ってハンマー３が支持軸１６を中心に回動するときに、ハンマーホルダ２２と支持軸１６とのガタつきによる異音の発生を防ぐことができると共に、鍵タッチ感のバラつきをも軽減することができる。
【００４７】
この場合、特にハンマーホルダ２２にはハンマー支持部１４の支持軸１６を中心とする円弧形状の接触面４０が設けられ、弾性押圧部４１が鍵盤シャーシ１の後側搭載部１０に設けられてハンマーホルダ２２の接触面４０に常に弾接しながら摺動することにより、押鍵操作に伴ってハンマー３が支持軸１６を中心に回動するときに、弾性押圧部４１の当接部４２を常にハンマーホルダ２２の円弧形状の接触面４０にほぼ一定の接触力で弾接させながら摺動させることができる。このため、実施形態１と同様、ハンマーホルダ２２が支持軸１６に対しガタつくことがなく、ハンマーホルダ２２を支持軸１６に対しほぼ一定の摩擦力で滑らかに回動させることができるので、ハンマーホルダ２２と支持軸１６とのガタつきによる異音の発生を確実に防ぐことができると共に、鍵タッチ感のバラつきを更に軽減することができる。
【００４８】
（実施形態４）
次に、図１６および図１７を参照して、この発明を適用した鍵盤装置の実施形態４について説明する。この場合には、図１１〜図１５に示された実施形態３と同一部分に同一符号を付して説明する。
この鍵盤装置は、ハンマーホルダ２２に設けられた円弧形状の接触面４０に突起部４５を設け、この突起部４５によって押鍵操作時に鍵２にクリック感を付与する構成で、これ以外は実施形態３と同じ構成になっている。
【００４９】
すなわち、この突起部４５は、図１６および図１７に示すように、ハンマーホルダ２２に設けられた円弧形状の接触面４０における下部側に設けられ、ハンマーホルダ２２が図１６において時計回りに回動したときに、図１７に示すように、鍵盤シャーシ１の後側搭載部１０に設けられた弾性押圧部４１の先端の当接部４２が当接して弾力的に乗り越えることにより、鍵２にクリック感を付与するように構成されている。
【００５０】
このような鍵盤装置によれば、実施形態３と同様の作用効果があるほか、特に鍵２が押鍵操作されてハンマーホルダ２２が支持軸１６を中心に図１６において時計回りに回動し、これに伴ってハンマーホルダ２２の接触面４０に設けられた突起部４５が移動して鍵盤シャーシ１の後側搭載部１０に設けられた弾性押圧部４１の当接部４２に当接すると、鍵荷重が急激に重くなり、弾性押圧部４１の当接部４２がハンマーホルダ２２の接触面４０に設けられた突起部４５を乗り越えると、鍵荷重が急激に軽くなり、これにより実施形態２と同様、押鍵操作時に鍵２に鍵荷重が急激に抜けるクリック感を付与することができるので、より一層、アコースティックピアノの鍵タッチ感に近似した鍵タッチ感を得る。
【００５１】
なお、上記実施形態１〜４では、ハンマー支持部１４の支持軸１６が一対の支持片１５にほぼ円錐形状の一対の軸部１７を互いに対向させて設けた構成である場合について述べたが、これに限らず、支持軸は一対の支持片１５間に架け渡された１本の丸棒状の軸部であっても良い。
【図面の簡単な説明】
【００５２】
【図１】この発明を適用した鍵盤装置を示した断面図である。（実施形態１）
【図２】図１の鍵盤装置の押鍵状態を示した断面図である。
【図３】図１のハンマーを示した側面図である。
【図４】図３のハンマーホルダを示した拡大側面図である。
【図５】図１のハンマー支持部を示した要部の正面図である。
【図６】図５のハンマー支持部にハンマーを取り付ける状態を示した一部破断した拡大正面図である。
【図７】押鍵操作時における鍵ストロークと鍵荷重の関係を示した図である。
【図８】この発明を適用した鍵盤装置におけるハンマーホルダと鍵盤シャーシとの要部を示した断面図である。（実施形態２）
【図９】図８の鍵盤装置の押鍵状態におけるハンマーホルダと鍵盤シャーシとの要部を示した断面図である。
【図１０】図８の鍵盤装置の押鍵操作時における鍵ストロークと鍵荷重の関係を示した図である。
【図１１】この発明を適用した鍵盤装置を示した断面図である。（実施形態３）
【図１２】図１１の鍵盤装置の押鍵状態を示した断面図である。
【図１３】図１１のハンマーホルダを示した拡大側面図である。
【図１４】図１１の状態におけるハンマーホルダ付近の要部を示した拡大断面図である。
【図１５】図１２の状態におけるハンマーホルダ付近の要部を示した拡大断面図である。
【図１６】この発明を適用した鍵盤装置におけるハンマーホルダ付近の要部を示した断面図である。（実施形態４）
【図１７】図１６の鍵盤装置の押鍵状態におけるハンマーホルダ付近の要部を示した断面図である。
【符号の説明】
【００５３】
１  鍵盤シャーシ
２  鍵
３  ハンマー
１０  後側搭載部
１０ｂ  縁部
１２  鍵支持部
１４  ハンマー支持部
１５  一対の支持片
１６  支持軸
１７  一対の軸部
２１  ハンマー本体
２２  ハンマーホルダ
２３  ホルダ取付部
２８  軸受部
２９  装着部
３４、４１  弾性押圧部
３５、４５  突起部
４０  接触面
４２  当接部
【図１】
0004715570.tif 000002
【図２】
0004715570.tif 000003
【図３】
0004715570.tif 000004
【図４】
0004715570.tif 000005
【図５】
0004715570.tif 000006
【図６】
0004715570.tif 000007
【図７】
0004715570.tif 000008
【図８】
0004715570.tif 000009
【図９】
0004715570.tif 000010
【図１０】
0004715570.tif 000011
【図１１】
0004715570.tif 000012
【図１２】
0004715570.tif 000013
【図１３】
0004715570.tif 000014
【図１４】
0004715570.tif 000015
【図１５】
0004715570.tif 000016
【図１６】
0004715570.tif 000017
【図１７】
0004715570.tif 000018